(57)【特許請求の範囲】
【請求項１】
ターンテーブルが穴から露出したシャーシと、このシャーシが中央部の開口を塞ぐように取り付けられ、前記ターンテーブルが前記開口から上面に露呈し、前記ターンテーブルに載置されて駆動されるディスクが平坦部分の面に近接して配置されるほぼ円形領域を有したドロワーフレームにおいて、
前記円形領域の周囲の少なくとも一部で盛り上がるように一体形成された周囲部分に対して、前記平坦部分から高さが、前記円形領域の所定位置に配置されたディスクの上面とほぼ同じ高さ以下で盛り上がった高さ制限部分を形成し、またこの高さ制限部よりも外側で他の一部には前記高さ制限部分よりも高い部分を形成しており、
さらに前記高さ制限部分は、前記平坦部分と略平行な平坦面を有し、前記平坦部分、この平坦面、および前記高さ制限部分よりも高い部分とで階段状を成していることを特徴とするディスクドライブ装置のドロワーフレーム。
【請求項２】
前記高さ制限部分は、ディスクドライブ装置の筐体に対して挿入・引出しされる方向において、挿入される方向の側に設けられていることを特徴とする請求項1記載のディスクドライブ装置のドロワーフレーム。
【請求項３】
前記高さ制限部分の角は丸みを帯びた形状であることを特徴とする請求項1記載のディスクドライブ装置のドロワーフレーム。
【請求項４】
前記高さ制限部分は、前記ディスクの下面以下に制限されていることを特徴とする請求項1記載のディスクドライブ装置のドロワーフレーム。
【請求項５】
前記高さ制限部分と前記平坦部とが連なる部分は、丸み或はテーパ部を持つことを特徴とする請求項１記載のディスクドライブ装置のドロワーフレーム。
【請求項６】
前記高さ制限部分は、ピックアップユニットを配置するために開口した細長開口が位置するエッジ側とは対向するエッジ側に設けられたことを特徴とする請求項１記載のディスクドライブ装置のドロワーフレーム。
【請求項７】
ターンテーブルが穴から露出したシャーシと、このシャーシが中央部の開口を塞ぐように取り付けられ、前記ターンテーブルが前記開口から上面に露呈し、前記ターンテーブルに載置されて駆動されるディスクが平坦部分の面に近接して配置されるほぼ円形領域を有したドロワーフレームを有したドロワーと、このドロワーが挿脱される筐体を有したディスクドライブ装置において、
前記ドロワーフレームは、平坦部分の面に近接してディスクが配置されるほぼ円形領域を有し、前記領域の周囲の少なくとも一部で盛り上がるように一体形成された周囲部分に対して、前記平坦部分からの高さが、前記円形領域の所定位置に配置されたディスクの上面とほぼ同じ高さ以下で盛り上がった高さ制限部分を形成し、またこの高さ制限部よりも外側で他の一部には前記高さ制限部分よりも高い部分を形成しており、
さらに前記高さ制限部分は、前記平坦部分と略平行な平坦面を有し、前記平坦部分、この平坦面、および前記高さ制限部分よりも高い部分とで階段状を成していることを特徴とするディスクドライブ装置。
【発明の詳細な説明】
【０００１】
【発明の属する技術分野】
この発明は、光ディスク或は磁気ディスクなどを回転駆動するディスクドライブ装置及びそのドロワフーレームに関するものであり、特にディスクの高速回転に伴う騒音を効果的に低減し得るようにしたものである。
【０００２】
【従来の技術】
ＣＤ−ＲＯＭ、ＤＶＤ、ハードディスク等、回転記憶媒体のディスクドライブ装置は、パーソナルコンピュータ或は専用再生機に組み込まれて用いられる。これらの回転記憶媒体は、その技術開発により記憶容量が大きくなりつつある。このために、データの高速読み出し、高速書き込みを実現できるように、ディスクドライブ装置によるディスク回転速度も一層速いものが要望されるようになっている。
【０００３】
例えば初期のディスクドライブ装置の基準回転速度（２２０ｒｐｍ）を１とすると、現行では１０倍速（２２００ｒｐｍ）、２０倍速（４４００ｒｐｍ）のものが市販されるようになっている。さらに最近では、４０倍速のものまでも開発されつつある。
【０００４】
【発明が解決しようとする課題】
上記のようにディスクの回転速度が大きくなるについて、ディスクドライブ装置では、ディスクの回転にともなう風切音が大きくなり、これが騒音源の主な要因となっている。
【０００５】
従来は、騒音が外に漏れるのを抑えるために、ディスク配置部の周辺空間の密閉性を高めている。しかしこの周辺空間は、完全に密閉されるわけではない。これは、一方では、ディスクドライブ装置の小型化が要求されており、この小型化のために周辺部品の小型化、及びディスク周辺の空間の有効利用が図られるからである。このために、上記したような騒音を有効に抑えることができず、結果的にはディスクの回転速度の増大とともに騒音が大きくなっていた。
【０００６】
そこでこの発明は、ディスクの高速回転にともなう騒音（キャビティ音）を低減できるディスクドライブ装置及びそのドロワフレームを提供することを目的とする。
【０００７】
【課題を解決するための手段】
この発明は、ターンテーブルが穴から露出したシャーシと、このシャーシが中央部の開口を塞ぐように取り付けられ、前記ターンテーブルが前記開口から上面に露呈し、前記ターンテーブルに載置されて駆動されるディスクが平坦部分の面に近接して配置されるほぼ円形領域を有したドロワーフレームにおいて、前記円形領域の周囲の少なくとも一部で盛り上がるように一体形成された周囲部分に対して、前記平坦部分から高さが、前記円形領域の所定位置に配置されたディスクの上面とほぼ同じ高さ以下で盛り上がった高さ制限部分を形成し、またこの高さ制限部よりも外側で他の一部には前記高さ制限部分よりも高い部分を形成しており、さらに前記高さ制限部分は、前記平坦部分と略平行な平坦面を有し、前記平坦部分、この平坦面、および前記高さ制限部分よりも高い部分とで階段状を成していることを特徴とする。
【０００８】
またこの発明は、ターンテーブルが穴から露出したシャーシと、このシャーシが中央部の開口を塞ぐように取り付けられ、前記ターンテーブルが前記開口から上面に露呈し、前記ターンテーブルに載置されて駆動されるディスクが平坦部分の面に近接して配置されるほぼ円形領域を有したドロワーフレームを有したドロワーと、このドロワーが挿脱される筐体を有したディスクドライブ装置において、前記ドロワーフレームは、平坦部分の面に近接してディスクが配置されるほぼ円形領域を有し、前記領域の周囲の少なくとも一部で盛り上がるように一体形成された周囲部分に対して、前記平坦部分からの高さが、前記円形領域の所定位置に配置されたディスクの上面とほぼ同じ高さ以下で盛り上がった高さ制限部分を形成し、またこの高さ制限部よりも外側で他の一部には前記高さ制限部分よりも高い部分を形成しており、さらに前記高さ制限部分は、前記平坦部分と略平行な平坦面を有し、前記平坦部分、この平坦面、および前記高さ制限部分よりも高い部分とで階段状を成していることを特徴とする。
【０００９】
【発明の実施形態】
以下、この発明の実施の形態を図面を参照して説明する。
【００１０】
まず図１を参照してディスクドライブ装置の概略を説明する。図１は筐体（キャビネット）１０からドロワー２０が引き出された状態を示す。筐体１０は、ドロワー２０が引き出される方向が開口した箱状を有し、底部筐体（ボトムキャビネット）１０Ａ、この底部筐体１０Ａを覆うように取り付けられる天板部（トップキャビネット）１０Ｂを有する。筐体１０の背面側の内部には、ドライブ装置を制御する制御回路を搭載したＰＣボードが配置される。また、ＰＣボードに接続されたフレキシブルケーブル、ソレノイド等も配置されている。
【００１１】
底部筐体１０Ａの内部の両側面には、スライドホルダがそれぞれ設けられ、このスライドホルダには、それぞれスライド３０がスライド可能に設けられている。そして、このスライド３０に対して、ドロワー２０に設けられたスライドホルダ４０がスライド可能に取り付けられている。図では、一方の側面のスライド機構が現れているが、他方の側面も同様な機構が設けられいてる。これによりドロワー２０は、筐体１０に対して、図示矢印Ｘ−Ｘ方向へ移動自在である。
【００１２】
ドロワー２０は、ドロワーフレーム５０を有する。このドロワーフレーム５０は、本発明の特徴を備えるものであり、図３において詳述する。このドロワーフレーム５０は、平坦部５１の面に近接してディスク７０が配置されるほぼ円形領域Ａ５２を有し、領域Ａ５２の周囲の少なくとも一部で盛り上がるように一体形成された周囲部５３に対して、平坦部５１からの高さが、円形領域５２Ａの所定位置に配置されチャッキングされたときのディスクの例えば上面とほぼ同じ高さ以下になる高さ制限部５４を形成している。
【００１３】
ドロワーフレーム５０の平坦部５１の中央部は、開口されており、この開口を塞ぎ、平坦部５１と略同一面に位置するようにシャーシ６０が配置される。このシャーシ６０に開設された穴には、ディスク７０を回転駆動するためのターンテーブル８０が露出している。ターンテーブル８０を回転するためのディスクモータは、シャーシ６０の下面に取り付けられている。
【００１４】
さらにシャーシ６０には、ピックアップユニット９０の光学ヘッド部からの光ビームが通過するように、細長開口が形成されている。ピックアップユニット９０は、細長開口の長手方向に沿ってシャーシ６０の下部で往復移動（図示矢印Ｙ−Ｙ方向）できるようになっている。そのためのシャフト、ギア機構及びフィードモータなどがシャーシ６０の下部に設けられており、電気的な接続を行う部分には、フレキシブルケーブルが利用され、先のＰＣボードに電気接続されている。
【００１５】
ドロワー２０が、筐体１０内に挿入されたときは、ドロワー２０に設けられているベーゼル板５５が筐体１０の開口を閉じるようになっている。
【００１６】
図２は、ディスク７０が所定位置に装着された場合に、ディスク７０の状面と天板部１０Ｂの間隔Ｈを説明するために示した図である。この間隔Ｈは、ほぼ、０．５乃至１．５ｍｍと非常に狭い。
【００１７】
図３は、ドロワー２０のみを取り出して上面側から見て示す斜視図であり、また、図４はドロワー２０のみを下面側から見て示す斜視図である。
【００１８】
さらに図５は、ドロワー２０と、筐体１０の底部筐体１０Ｂが重なった状態を上面から見て示し、図６は、底部筐体１０Ｂを下面側見て示す斜視図である。
【００１９】
図７（Ａ），（Ｂ）は、本発明のディスクドライブ装置を取り付けたパーソナルコンピュータにおいて、ディスクを回転させて、前方より騒音を測定した結果を示す。測定した周波数は、オクターブ周波数であり、５００Ｈｚ、１ｋＨｚ、２ｋＨｚ，４ｋＨｚ，８ｋＨｚ，ＡＰである。従来の装置であると、それぞれの周波数で１５．５ｄＢ，２６．４ｄＢ，３１．５ｄＢ，３３．２ｄＢ，２６．３ｄＢ，３６．４ｄＢであった。これに対して本発明の装置であると、１４．５ｄＢ，２５．７ｄＢ，３０．８ｄＢ，３０．８ｄＢ，２２．９ｄＢ，３４．８ｄＢであった。つまり本発明の装置が各測定周波数において−１，−０．７，−０．７，−２．４，−３．４，−１．６ｄＢも改善されていることがわかる。
【００２０】
上記したように領域Ａ５３の周囲の盛り上がり部分（周囲部）に対して、その一部若しくは全部に高さ制限部５４を設ける場合、次の位置が好ましい。即ち、ドロワー２０の筐体１０に対する移動方向において、ピックアップユニットが配置される側とは反対側（このであると奥側）に高さ制限部５４を設けるほうが好ましい。つまり、高さ制限部分は、ピックアップユニットを配置するために開口した細長穴が位置するエッジ側とは対向するエッジ側に設けられる。
【００２１】
これは、ピックアップユニットが設けられる側は、ビームを通すための細長穴の部分からディスク下部の空気が逃れやすいが、奥のほうはディスク下部の空気密度が高くなる傾向にあるからである。ディスク下部の空気密度の違いが大きいと、ディスクの外周側が上面方向へ反りを生じる場合がある。
【００２２】
図８（Ａ）、図８（Ｂ）には、ディスク７０が所定の位置に配置されチャッキングされ、かつ回転したときに生じる風の流れを、本発明によるドロワー２０の特徴部と、これに対応する従来のドロワー２０Ａの一部分とで比較して示している。本発明の装置であると、ディスク７０の回転により生じた風が高さ制限部５４の上を吹き抜けるようになり、ディスクの外周側が上面方向へ反るような現象もなくなる。このような複合作用により、ディスクの回転が安定し、騒音も低減する。これに対して、従来の装置であると、ドロワー２０Ａの周囲部５３Ａは、ディスク７０の上面より高いために、ディスク７０の回転により生じた風が周囲部５３Ａの壁に衝突し、ディスク７０の下面に回り込む量が多くなる。この結果、ディスクの外周側が上面方向へ反る現象が生じる。この結果、ディスクの回転が不安定となり、風切音としての騒音が生じる。
【００２３】
また、従来のドライブはディスク周りのドロワーの高さがディスク上面よりも高くなっている。これに対して、ドロワーの高さをディスク上面よりも低くするということは、すなわち、天板とドロワーとの間の距離を広げるということであり、風が流れる空間を広げるということである。流れ込む風の量が同じである場合、流れる空間が狭いほど流速は早く、広げればそれだけ流速が遅くなるので、その分、騒音が低減されるのである。
【００２４】
この発明は、上記したような実施の形態に限定されるものではない。
【００２５】
図９には、高さ制限部５４における角部の形状の各種実施の形態を示している。図９（Ａ）では、高さ制限部５４が、平坦部５１から直角に立ち上がり、直角に水平面となった形状の例を示している。また図９（Ｂ）では、平坦面５１から立ち上がり部の角が丸み部５４１を形成した例を示している。また図９（Ｃ）は、立ち上がり部の角がテーパー部５４２を形成した例を示している。さらに図９（Ｄ）は、平坦部５１から立ち上がった壁が、高さ制限部５４の上面に連続する部分で丸み部５４３を持って形成された例を示している。また図９（Ｅ）は、平坦部５１から立ち上がった壁が、高さ制限部５４の上面に連続する部分でテーパー部５４４をもって形成された例を示している。
【００２６】
この発明は、上記の実施の形態に限らず、上記の実施の形態を互いに組み合わせて実施してもよいことは勿論のことである。
【００２７】
さらにまた、上記の実施の形態では、ディスクの挿入方向の奥であって、左右に位置する２つの高さ制限部５４、５４を形成した。しかしこれに限らず、左側の高さ制限部５４だけであっても上記の実施の形態とほぼ同様な効果を得ることができる。
【００２８】
またこの発明は上記の実施の形態に限定されるものではない。
【００２９】
図１０に示すように、高さ制限部５４の領域を全てドロワー２０の平坦部５１と同じ高さにしてもよい。つまり高さ制限部５４の位置で、ディスクのエッジと周囲部分５３との間に空間を生じることになる。このようにすると、図３で示した右側の高さ制限部が消滅するので、この位置にフレームエッジから立ち上がる小片のストッパー５１１を形成するほうが好ましい。これはドロワー２０が筐体１０から引き出された状態で、ディスクを手前側から挿入する際に有効である。即ち、このストッパー５１１は、ディスクがドロワー２０の奥の方へ行き過ぎないようにし、ディスクがチャッキング位置へ正確に装着されるのを補助することができる。なお他の部分は先の実施の形態と同じであるから同一符号を付して説明は省略する。
【００３０】
またこの発明は上記の実施の形態に限定されるものではない。
【００３１】
図１１に示すように、ドロワー２０の奥に位置する高さ制限部５４及び周囲部５３を全て平坦部５１と同じ平面としてもよい。この様に構成した場合、高さ制限部及び周囲部が消滅するので、ドロワーフレーム５０の奥のエッジから立ち上がるように小片の複数のストッパー５１２、５１３を形成するほうが好ましい。
【００３２】
これにより、ストッパー５１１は、ディスクがドロワー２０へ装着される際、ディスクがドロワー２０の奥の方へ行き過ぎないようにし、ディスクがチャッキング位置へ正確に装着されるのを補助することができる。なお他の部分は先の実施の形態と同じであるから同一符号をふして説明は省略する。
【００３３】
さらにまたこの発明は、上記の実施の形態に限定されるものではない。図１２に示すような実施の形態でもよい。
【００３４】
先の図１の実施の形態では、周囲部５３に連続して高さ制限部５４が形成されたが、この図１２の実施の形態では、高さ制限部５４の高さが、周囲部５３と同じ高さに形成される。しかし平坦面５１から立ち上がっている壁に１つまたは複数の穴５１５を形成するものである。
【００３５】
【発明の効果】
上記したこの発明によれば、従来生じていたような風切音による騒音を低減できる。またディスクの回転時の反りが無くなり、安定した回転が得られることにより、信号の読み取りエラーが低減する。
【図面の簡単な説明】
【図１】この発明の一実施の形態が適用されたディスクドライブ装置の概観を示す斜視図。
【図２】この発明が適用さえたディスクドライブ装置の天板部とチャッキング状態にあるディスク上面との間隔の説明図。
【図３】この発明に係るドロワーのみを取り出して示す斜視図。
【図４】この発明に係るドロワーを下側から見た状態を示す斜視図。
【図５】この発明に係るドロワーが底板筐体に重なった状態を示す斜視図。
【図６】この発明に係るディスクドライブ装置の筐体の底板筐体を下側から見た状態を示す斜視図。
【図７】この発明に係るディスクドライブ装置のディスク回転時における騒音測定結果を従来の装置のものと比較して示す説明図。
【図８】この発明に係るディスクドライブ装置のディスク回転時の気流の流れと従来の装置のものを比較して説明するために示した説明図。
【図９】この発明に係るディスクドライブ装置における高さ制限部の周りの各種形状の例を示す図。
【図１０】この発明の他の実施の形態を示す斜視図。
【図１１】この発明のさらに他の実施の形態を示す斜視図。
【図１２】この発明のさらにまた他の実施の形態を示す斜視図。
【符号の説明】
１０…筐体、１０Ａ…底部筐体、１０Ｂ…天板部、２０…ドロワー、５０…ドロワーフレーム、５１…平坦部、５３…周囲部、５４…高さ制限部、６０…シャーシ、７０…ディスク、８０…ターンテーブル、９０…ピックアップユニット。
【図１】
0004130523.tif 000002
【図２】
0004130523.tif 000003
【図３】
0004130523.tif 000004
【図４】
0004130523.tif 000005
【図５】
0004130523.tif 000006
【図６】
0004130523.tif 000007
【図７】
0004130523.tif 000008
【図８】
0004130523.tif 000009
【図９】
0004130523.tif 000010
【図１０】
0004130523.tif 000011
【図１１】
0004130523.tif 000012
【図１２】
0004130523.tif 000013